(57)【要約】【課題】より便利にＰＣメインボードと接続する外付け可能なＳＡＴＡインターフェースのハードディスクのためのＰＣケースを提供する。【解決手段】外付けケースを使用せず、外付け可能なＳＡＴＡインターフェースのハードディスク４に対応するＰＣケース３で、特にＰＣケース３にＳＡＴＡインターフェースのハードディスクコネクタ３１を設けるＰＣケース３である。コネクタ３１の片方の側はＰＣケース３内のメインボード３２と電源装置３３にそれぞれ接続する。コネクタ３１のもう一方の側はＳＡＴＡインターフェースのハードディスク４の電源ケーブル４２および信号ケーブル４１と接続するための電源用ケーブルスロット３１ａと信号用ケーブルスロット３１ｂを設ける。コネクタ３１の構造により、ＳＡＴＡインターフェースのハードディスク４は外付けケース１とＰＣメインボード３２を接続するために役立つ。【選択図】図２
0003124399.tif 000002
【実用新案登録請求の範囲】
【請求項１】
外付け可能なＳＡＴＡインターフェースを有するハードディスクのためのパーソナルコンピュータケースにおいて、
パーソナルコンピュータケースのいずれかの適当な位置にＳＡＴＡインターフェースのハードディスクコネクタを設置し、該コネクタの一方の側はパーソナルコンピュータケース内のメインボードおよび電源装置にそれぞれ接続し、
ＳＡＴＡインターフェースのハードディスクコネクタの電源ケーブルおよび信号ケーブルが相互に接続するように、もう一方の側に電源用ケーブルスロットと信号用ケーブルスロットを設け、その構造により外付けケースを経由することなく、より便利にＳＡＴＡインターフェースのハードディスクコネクタとパーソナルコンピュータメインボードとを接続することを特徴とする外付け可能なＳＡＴＡインターフェースのハードディスクのためのパーソナルコンピュータケース。
【請求項２】
前記ＳＡＴＡインターフェースのハードディスクコネクタは、パーソナルコンピュータケースの正面パネルに設置可能であることを特徴とする請求項１記載の外付け可能なＳＡＴＡインターフェースのハードディスクのためのパーソナルコンピュータケース。
【請求項３】
前記ＳＡＴＡインターフェースのハードディスクコネクタは、パーソナルコンピュータケースの背面に設置可能であることを特徴とする請求項１記載の外付け可能なＳＡＴＡインターフェースのハードディスクのためのパーソナルコンピュータケース。
【請求項４】
前記ＳＡＴＡインターフェースのハードディスクコネクタは、パーソナルコンピュータケースの側面に設置可能であることを特徴とする請求項１記載の外付け可能なＳＡＴＡインターフェースのハードディスクのためのパーソナルコンピュータケース。
【請求項５】
前記ＳＡＴＡインターフェースのハードディスクコネクタは、パーソナルコンピュータケースの上端部に設置可能であることを特徴とする請求項１記載の外付け可能なＳＡＴＡインターフェースのハードディスクのためのパーソナルコンピュータケース。
【考案の詳細な説明】
【技術分野】
【０００１】
本考案は、外付けケースを使用せず、より便利にパーソナルコンピュータ（以下、「ＰＣ」と記載する。）メインボードと接続する外付け可能なＳＡＴＡインターフェースのハードディスクのためのＰＣケースに関する。
【背景技術】
【０００２】
ＰＣデータの携帯移動の利便性を獲得するためにはノート型ＰＣ（ＮＯＴＥＢＯＯＫ）を使用することが出来るが、ノート型ＰＣの価格は高額であり、デスクトップ型ＰＣは依然として価格上、演算機能上における利点を有していることから、データの携帯移動に対する要求を解決するため、さらにＰＣデータが徐々に巨大となっていく状態を満足させるために、外付けタイプのハードディスクが時運に応じて現れることとなった（図１Ａに示す）。その主なものとして、従来のＡＴＡハードディスク１０は外付けケース１に装設され、さらにＵＳＢ信号ケーブル１１等の方式を利用し、ＰＣケース２に設けられた同類型の端子と接続していたが、それは現行の問題を解決し、使用者の要求を満足させることができたため、広く消費者の愛顧を受けていた。
【０００３】
しかしながら、上述した従来構造の外付けケース１で使用するハードディスクは従来のＩＤＥインターフェースドライブのＡＴＡハードディスク１０であり、そのハードディスクに限られるとの制限を受け、電源および信号ケーブルはいずれも太く大きく、またホットスワップがサポートされておらず、電力を消耗していた。ゆえに、使用者は重くかさばる外付けケース１を携行しなければならず、これは使用者が残念に感じるところとなっていた。
【０００４】
サイエンステクノロジー業界はＳＡＴＡインターフェースのハードディスクドライブ（ＳｅｒｉａｌＡＴＡ  ＳＡＴＡ）を開発した。それは序列式の方式を採用し伝送するもので、前述および従来のＩＤＥインターフェースドライブのハードディスクと較べると、ＩＤＥハードディスクの１３３ＭＨｚよりもさらに高速（ＳＡＴＡハードディスクは１５０ＭＨｚ以上の周波数）で稼動し、電源および信号ケーブルはより細く長く、また放熱効果もより優れ、さらに消費電力も低い等の長所を備え、新たに使用者の人気を博すこととなった。
【考案の開示】
【考案が解決しようとする課題】
【０００５】
しかしながら、新世代型のＳＡＴＡハードディスクは多くの長所を備えているが、その使用方式は依然として旧概念から抜け出すことができず、デスクトップ型ＰＣまたはノート型ＰＣのいずれであっても、未だに機体の中に装設して使用するという内部接続方式を採用し、または外付けケース１を用いる方式によって接続し使用していた（図１Ｂ参照）。このためＳＡＴＡハードディスクはその長所を十分に発揮することが出来ず、使用者は従来の一般的なものと同様に重くかさばる外付けケースによってＳＡＴＡを携行しなければならず、これについては明らかに改善する余地が存在していた。
【０００６】
したがって本考案の目的は、外付けケースを使用せず、より便利にＰＣメインボードと接続する外付け可能なＳＡＴＡインターフェースのハードディスクのためのＰＣケースを提供することにある。
上記を鑑み、本案の考案者はとりわけ関連産業の設計製造に多年にわたって従事し、豊富な経験と奥深い分析研究を積み重ねてきており、遂に本案が提出する「外付け可能なＳＡＴＡインターフェースのハードディスクのためのＰＣケース」を開発するに至ったが、実際に試用しその検証を行った後、さらに本考案は現存する欠点を確実に改善できるだけでなく、より優れた使用上の便利性を提供できる経済的な実用新型考案であることを見出した。
【課題を解決するための手段】
【０００７】
上述の目的を達成するために本考案の請求項に記載の外付け可能なＳＡＴＡインターフェースのハードディスクのためのＰＣケースは、外付け可能なＳＡＴＡインターフェースのハードディスク４に対応するＰＣケース３を提供するものであり、特にＰＣケース３にＳＡＴＡインターフェースのハードディスクコネクタ３１を設けるＰＣケース３のことを指す。該コネクタ３１の片方の側はＰＣケース３内のメインボード３２と電源装置３３にそれぞれ接続する。コネクタ３１のもう一方の側はＳＡＴＡインターフェースのハードディスク４の電源ケーブル４２および信号ケーブル４１と接続するための電源用ケーブルスロット３１ａと信号用ケーブルスロット３１ｂを設ける。
上述のコネクタ３１の構造により、ＳＡＴＡインターフェースのハードディスク４は外付けケース１とＰＣメインボード３２を接続するために役立つ。
【考案を実施するための最良の形態】
【０００８】
以下、本考案の実施例を図面に基づいて説明する。
図２は本実施例によるＰＣケース３がＳＡＴＡインターフェースのハードディスク４を接続するためのＳＡＴＡインターフェースのハードディスクコネクタ３１をいかなる適当な位置に設置可能であることを示す。該コネクタ３１の片方の側はＰＣケース３内のメインボード３２と電源装置３３にそれぞれ接続する。コネクタ３１のもう一方の側はＳＡＴＡインターフェースのハードディスク４の電源ケーブル４２とＳＡＴＡインターフェースのハードディスクコネクタ３１に接続するものとして、電源用ケーブルスロット３１ａと信号用ケーブルスロット３１ｂを設ける。
【０００９】
上述の接続方式により、使用者は外付けケースを使用しない状況下において、より便利なＰＣケース３のＳＡＴＡインターフェースのハードディスク３１との接続を経由し、ＰＣケース３内のメインボード３２、電源装置３３に接続し、最良で便利な使用効果を達成可能である。
【００１０】
図２は本考案の実施の形態の一つであり、前記ＳＡＴＡインターフェースコネクタ３１をＰＣケースの正面パネル３４に設置しているところである。
図３はＳＡＴＡインターフェースのハードディスクコネクタ３１をＰＣケース３の背面３５に設置しているところである。
図４はＳＡＴＡインターフェースのハードディスクコネクタ３１をＰＣケース３の上端部３６に設置しているところである。
図５はＳＡＴＡインターフェースのハードディスクコネクタ３１をＰＣケース３の側面３７に設置しているところである。
【００１１】
つまり、本考案に示す外付け可能なＳＡＴＡインターフェースのハードディスクのためのＰＣケースは良好な経済的実用効果を有するだけでなく、産業上の利用価値と市場の普遍化を図る要素をも備え、新型特許としての構成要件に符合している。よって、その権益の保障を求めるため、法律に基づき本出願申請を行うものとし、本考案に対し特許審査を行っていただければ感謝に耐えない。
【図面の簡単な説明】
【００１２】
【図１Ａ】従来のＩＤＥハードディスクが外付けケースを使用し、ＰＣケースと接続する状態を示す説明図である。
【図１Ｂ】従来のＳＡＴＡハードディスクが外付けケースを使用し、ＰＣケースと接続する状態を示す説明図である。
【図２】本実施例により、ＰＣケース正面パネルにＳＡＴＡインターフェースのハードディスクコネクタを設け、ＳＡＴＡインターフェースのハードディスクと接続するところを示す説明図である。
【図３】本実施例により、ＰＣケースの背面にＳＡＴＡインターフェースのハードディスクコネクタを設け、ＳＡＴＡインターフェースのハードディスクと接続するところの説明図である。
【図４】本実施例により、ＰＣケースの上端部にＳＡＴＡインターフェースのハードディスクコネクタを設け、ＳＡＴＡインターフェースのハードディスクと接続するところの説明図である。
【図５】本実施例により、ＰＣケースの側面にＳＡＴＡインターフェースのハードディスクコネクタを設け、ＳＡＴＡインターフェースのハードディスクと接続するところの説明図である。
【符号の説明】
【００１３】
１  本体、２  ＰＣケース、３  ＰＣケース、４  ＳＡＴＡインターフェースのハードディスク、１１  ＵＳＢ信号ケーブル、３１  ＳＡＴＡインターフェースのハードディスクコネクタ、３１ａ  電源用ケーブルスロット、３１ｂ  信号用ケーブルスロット、３２  メインボード、３３  電源装置、３４  正面パネル、３５  背面、３６  上端部、３７  側面、４１  信号ケーブル、４２  電源ケーブル
【図１Ａ】
0003124399.tif 000003
【図１Ｂ】
0003124399.tif 000004
【図２】
0003124399.tif 000005
【図３】
0003124399.tif 000006
【図４】
0003124399.tif 000007
【図５】
0003124399.tif 000008